(57)【特許請求の範囲】
【請求項１】
建築物の基礎を貫通し、屋内排水管と屋外排水管とを接続する二重管継手であって、
鞘管、
前記鞘管内に挿通される内管、および
前記鞘管の端部に係合手段により固定され、前記内管に接続される管継手を備え、
前記管継手を前記係合手段により前記鞘管の端部に固定することによって、それと同時に前記管継手と前記内管とがゴム輪を介して接続され、
前記係合手段は、互いに対応する突起と溝とを含み、前記鞘管と前記管継手とを着脱自在に係合し、係合時には、前記突起を前記溝に収容することによって前記管継手を管軸方向の両方向への動きを防止した状態で前記鞘管に固定する、二重管継手。
【請求項２】
前記鞘管と前記管継手とに当接するシール材をさらに備え、
前記管継手を前記係合手段により前記鞘管の端部に固定することによって、それと同時に前記管継手と前記内管とがゴム輪を介して接続され、かつ前記管継手と前記鞘管との隙間が前記シール材によって水密状態でシールされるようにした、請求項１記載の二重管継手。
【請求項３】
前記管継手は、前記鞘管内に挿通される直管部を有し、前記直管部の先端が前記内管に接続される、請求項１または２記載の二重管継手。
【請求項４】
請求項１ないし３のいずれかに記載の二重管継手を用いて建築物の基礎を貫通し、屋内排水管と屋外排水管とを接続する、基礎貫通配管構造。
【請求項５】
前記管継手は前記鞘管の屋外側の端部に固定され、
前記鞘管をその屋外側の管端が前記基礎の屋外側の側面と面一になるように配置した、請求項４記載の基礎貫通配管構造。
【発明の詳細な説明】
【技術分野】
【０００１】
この発明は、二重管継手、およびそれを用いる基礎貫通配管構造に関し、特にたとえば、建築物の基礎を貫通し、屋内排水管と屋外排水管とを接続する、二重管継手、およびそれを用いる基礎貫通配管構造に関する。
【背景技術】
【０００２】
住設機器からの排水を屋外に排出する方法の一例として、建築物の基礎を貫通する鞘管内に内管を挿通して、屋内の排水管と屋外の排水管とを接続する方法が知られている。たとえば、特許文献１の技術では、詳細は記載されていないが、建築物のべた基礎を貫通する鞘管内に、内管として機能する曲がり可能な小径管を挿脱可能に挿通して、小径管と屋内の排水管とを、ならびに小径管と屋外の排水管とを接着接合等によって接続している。
【特許文献１】特許第３５９２６５８号公報［Ｅ０３Ｃ  １／１１２］
【発明の開示】
【発明が解決しようとする課題】
【０００３】
特許文献１の従来技術では、内管と屋内外の排水管とは、接着接合等によって接続される。しかしながら、内管は挿脱可能な状態で鞘管に挿通されるため、たとえば内管と屋外の排水管とを接続する際に、屋内側の排水管を固定しておかないと内管が鞘管内の方向に移動してしまう。また、内管は可撓性を有するため、屋内側の排水管を固定しても、内管が鞘管内で撓んでしまい、排水性能が低下する可能性がある。したがって、特許文献１の技術では、内管と屋外の排水管とを適切に接続することができない。
【０００４】
それゆえに、この発明の主たる目的は、新規な、二重管継手、およびそれを用いる基礎貫通配管構造を提供することである。
【０００５】
この発明の他の目的は、内管と屋外排水管との接続を適切に行うことができる、二重管継手、およびそれを用いる基礎貫通配管構造を提供することである。
【課題を解決するための手段】
【０００６】
この発明は、上記の課題を解決するために、以下の構成を採用した。なお、括弧内の参照符号および補足説明等は、この発明の理解を助けるために後述する実施形態との対応関係を示したものであって、この発明を何ら限定するものではない。
【０００７】
第１の発明は、建築物の基礎を貫通し、屋内排水管と屋外排水管とを接続する二重管継手であって、鞘管、鞘管内に挿通される内管、および鞘管の端部に係合手段により固定され、内管に接続される管継手を備え、管継手を係合手段により鞘管の端部に固定することによって、それと同時に第１受口の内部に内管がゴム輪を介して挿入接続され、係合手段は、互いに対応する突起と溝とを含み、鞘管と管継手とを着脱自在に係合し、係合時には、突起を溝に収容することによって管継手を管軸方向の両方向への動きを防止した状態で鞘管に固定する、二重管継手である。
【０００８】
第１の発明では、二重管継手（１０）は、建築物の基礎（１２０）を貫通する鞘管（１２）、鞘管の内部に挿通される内管（１６）および鞘管の屋外側の端部（２２）に固定される管継手（１４）を含み、屋内排水管（１２２）と屋外排水管（１２４）とを接続する。鞘管は、ポリエチレンなどの合成樹脂からなり、たとえば、別体に成形された第１鞘管部（１８）および第２鞘管部（２０）を組み合わせることによって形成される。たとえば、第１鞘管部は、その一端が屋内に開口する。たとえば、第２鞘管部は、第１鞘管部の他端から連通して、屋外に開口する。第２鞘管部は、鞘管の屋外側の端部を含み、端部には、管継手が固定される。管継手は、塩化ビニルなどの合成樹脂によって円筒状に形成され、内管と屋外排水管とを接続する。管継手の一方端には、第１受口（６０）が形成される。第１受口は、第２鞘管部に挿入されて、鞘管に固定される。また、たとえば、第１受口の内部には、内管が挿入されて、内管が接続される。このように、管継手が鞘管１２の屋外側の端部に固定されるため、管継手に接続する内管も、鞘管の屋外側の端部に固定される。
【０００９】
第１の発明によれば、鞘管内での内管の位置が固定されるため、管継手に屋外排水管を接続する際に、内管が鞘管内の方向に移動しない。したがって、屋内排水管側で内管を固定しなくても、内管と屋外排水管との接続を適切に行うことができる。
【００１３】
第２の発明は、第１の発明に従属し、鞘管と管継手とに当接するシール材をさらに備え、管継手を係合手段により鞘管の端部に固定することによって、それと同時に第１受口の内部に内管がゴム輪を介して挿入接続され、かつ管継手と鞘管との隙間がシール材によって水密状態でシールされるようにした。
【００１６】
第３の発明は、第１または２の発明に従属し、管継手は、鞘管内に挿通される直管部を有し、直管部の先端が前記内管に接続される。
【００２２】
第４の発明は、第１ないし３のいずれかの発明の二重管継手を用いて建築物の基礎を貫通し、屋内排水管と屋外排水管とを接続する、基礎貫通配管構造であり、第１ないし第４のいずれかの発明と同様の効果を奏する。
第５の発明は、第４の発明に従属し、管継手は鞘管の屋外側の端部に固定され、鞘管をその屋外側の管端が基礎の屋外側の側面と面一になるように配置した。
【発明の効果】
【００２３】
この発明によれば、鞘管内での内管の位置が固定されるため、内管と屋外排水管との接続を適切に行うことができる。
【００２４】
この発明の上述の目的，その他の目的，特徴および利点は、図面を参照して行う以下の実施例の詳細な説明から一層明らかとなろう。
【発明を実施するための最良の形態】
【００２５】
図１および図２を参照して、この発明の一実施例である二重管継手１０は、鞘管１２、管継手１４および内管１６を備え、建築物の基礎１２０を貫通して、屋内排水管１２２と屋外排水管１２４とを接続する。
【００２６】
図３に示すように、鞘管１２は、ポリエチレンなどの合成樹脂からなり、たとえば、ブロー成形によって別体に成形された第１鞘管部１８および第２鞘管部２０を組み合わせることによって、略Ｌ字状に形成される。ただし、第１鞘管部１８と第２鞘管部２０とを一体に成形して、鞘管１２を形成してもよい。第１鞘管部１８は、垂直方向に延びて、その一端が屋内に開口する。第２鞘管部２０は、第１鞘管部１８の他端から水平方向に延びて、屋外に開口する。第２鞘管部２０は、鞘管１２の屋外側の端部２２を含み、端部２２には、詳細は後述する管継手１４が固定される（図２参照）。
【００２７】
図４に示すように、第１鞘管部１８は、垂直方向に延びる第１筒部２４を含み、詳細は後述する屈曲内管部８４および第１内管部８６を収容する。第１筒部２４は、たとえば、垂直方向の断面が馬蹄形状を有する筒状に形成される。また、第１筒部２４の下端である底面には、詳細は後述する屈曲内管部８４の当接部９４が当接する。
【００２８】
第１筒部２４の一端は、垂直上方向に開口しており、そこに屋内に開口する第１開口部２６が形成される。第１開口部２６は、第１筒部２４よりも大きな径の短円筒状に形成され、第１筒部２４の上端から段差状に拡径する。たとえば、第１開口部２６の呼び径は１７０ｍｍである。
【００２９】
また、第１筒部２４の他端は、水平方向に開口しており、そこに水平方向に向けて短円筒状に突出する第２開口部２８が形成される。たとえば、第２開口部２８の呼び径は１２０ｍｍである。また、たとえば、第２開口部２８の内周面には、後述する第２鞘管部２０に形成される雄ネジ４２と螺合する、雌ネジ３０が形成される。
【００３０】
さらに、第１筒部２４には、配筋固定部３２が形成される。配筋固定部３２は、第１筒部２４の外周面から外側に突出する板状に形成され、鞘管１２を建築物の基礎型枠に設ける際に、配筋１２６或いは別途配筋１２６に設けられる鞘管１２固定用の固定筋１２８を挟み込むことで、第１鞘管部１８と配筋１２６とを固定する。
【００３１】
上述したように、第１鞘管部１８には、水平方向に延びて、屋外に開口する第２鞘管部２０が接続される（図１参照）。
【００３２】
図５および図６に示すように、第２鞘管部２０は、第２筒部３４を含む。第２筒部３４は、水平方向に延びる円筒状に形成され、たとえばその呼び径は１００ｍｍであり、その長さは２６０ｍｍである。第２筒部３４には、リブ３６が形成される。リブ３６は、第２筒部３４の管壁を外側に突き出して形成され、第２筒部３４の外面から環状に突出する。リブ３６は、第２筒部３４の管軸方向に等間隔をあけて複数（この実施例では５つ）形成され、第２筒部３４の剛性を高める。
【００３３】
また、第２筒部３４の両端は、水平方向に向けて開口しており、そこに短円筒状の第３開口部３８および第４開口部４０がそれぞれ形成される。
【００３４】
第３開口部３８は、第２筒部３４の一端に形成され、第１鞘管部１８の第２開口部２８に挿入して接続される。たとえば、第３開口部３８の外面には、上述の雌ネジ３０と螺合する雄ネジ４２が形成される。
【００３５】
また、第４開口部４０は、第２筒部３４の他端に形成され、第２筒部３４の端から段差状に少し拡径する。たとえば、第４開口部４０の呼び径は、１３５ｍｍである。第４開口部４０は、鞘管１２の屋外側の端部２２を含み、屋外に開口する。
【００３６】
鞘管１２の屋外側の端部２２には、詳細は後述する、管継手１４を固定するための係止部４４が形成される。係止部４４は、環状係止部４６、第１係止部４８および第２係止部５０を含む。環状係止部４６は、第４開口部４０の管壁を内側に窪ませて形成され、第４開口部４０の内面から環状に突出する。
【００３７】
また、環状係止部４６よりも少し端部２２側には、第１係止部４８および第２係止部５０が形成される。環状係止部４６と第１係止部４８および第２係止部５０との間には、詳細は後述する管継手１４の係合部６８を収容する係止溝５２が形成される。第１係止部４８および第２係止部５０は、第４開口部４０の管壁を内側に窪ませて形成され、第４開口部４０の内面から周方向に長い直方体状に突出する。たとえば、それぞれ２つの第１係止部４８と第２係止部５０とが、第４開口部４０の周方向に等間隔をあけて１つずつ交互に形成される。第１係止部４８と第２係止部５０との間には、詳細は後述する管継手１４の係合部６８を導入する導入溝５４が形成される。
【００３８】
図７−図９に示すように、第１係止部４８には、その周方向の一方端から環状係止部４６側に延出する第１ストッパ５６が形成される。第１ストッパ５６は、第１係止部４８と環状係止部４６とを連通している。また、第２係止部５０には、その周方向の一方端、具体的には第１係止部４８とは周方向反対側の一方端から環状係止部４６側に少しだけ延出する第２ストッパ５８が形成される。なお、第２ストッパ５８は、詳細は後述する、管継手１４に不測の回転力が生じた場合に、その係合部６８を掛止する機能を果たす。
【００３９】
また、上述したように、鞘管１２には、管継手１４が固定される（図１および図２参照）。
【００４０】
図１０および図１１に示すように、管継手１４は、塩化ビニルなどの合成樹脂からなり、射出成形によって円筒状に形成される。たとえば、その呼び径は１１０ｍｍであり、その長さは１３６ｍｍである。また、管継手１４の両端には、それぞれ第１受口６０と第２受口６２とが形成される。第１受口６０は、第２鞘管部２０の第４開口部４０に挿入されて、鞘管１２の屋外側の端部２２に固定される部位であると共に、その内部に後述する第２内管部８８が挿入されて、内管１６を接続する部位である。また、第２受口６２には、屋外排水管１２４が挿入されて、接着接合される。
【００４１】
図１２に示すように、第１受口６０には、凹部６４が形成される。凹部６４は、たとえば、管継手１４の外周面に沿って形成された環状の溝であって、内側に向って窪んでいる。凹部６４は、たとえば管継手１４と鞘管１２との固定時における、環状係止部４６の位置に合わせて形成される。凹部６４には、シール材６６が設けられる。シール材６６は、ゴム輪などによって形成され、環状係止部４６の第２鞘管部１８の内面側と当接する。
【００４２】
また、凹部６６より少し第２受口６２側には、係合部６８が形成される。係合部６８は、たとえば、管継手１４の外周面に沿って形成された略直方体状の突起であって、外側に向かって突き出している。図１３に示すように、たとえば、複数（この実施例では４つ）の係合部６８が、第１受口６０の周方向に等間隔をあけて形成され、前述の導入溝５４の位置に対応している。係合部６０には、その側面を面取りした案内部７０が形成される。案内部７０は、たとえば管継手１４中央側かつ前述の第２ストッパ５８が突出する回転方向側の角に形成される。
【００４３】
また、図１４に示すように、係合部６８より少し第２受口６２側には、第１受口６０の外周面から径方向の外側に突出する複数（この実施例では８つ）の補強板７２が形成され、管継手１４の剛性を保持している。
【００４４】
さらに、補強板７２より少し第２受口６２側には、フランジ７４が形成される。フランジ７４は、たとえば、管継手１４の外周面に沿って形成された環状の突起であって、外側に向かって突き出している。たとえば、フランジ７４には、２つの窪み７６が形成される。図１５に示すように、窪み７６は、係合部６８が後述する第２受口６２側から目視可能となるように、係合部６８の位置に合わせて形成される。ただし、窪み７６は４つ形成してもよい。この場合には、全ての係合部６８を目視可能であるため、たとえば可視領域が小さい場合でも、管継手１４を鞘管１２から取り外すことができる。
【００４５】
また、第１受口６０の内面には、ゴム溝７８が形成される。ゴム溝７８は、たとえば、管継手１４の内周面に沿って形成された環状の溝であって、内側に向って窪んでいる（図１２参照）。ゴム溝７８には、ゴム輪８０が設けられる。そして、たとえば、第１受口６０の内部には後述する第２内管部８８が挿入されて、水密状態でゴム輪接合される。
【００４６】
さらに、ゴム溝７８より少し第２受口６２側には、制止部８２が形成される（図１２参照）。制止部８２は、たとえば、管継手１４の内周面に沿って形成された環状の突起であって、内側に向かって突き出している。
【００４７】
また、上述したように、鞘管１２の内部には、内管１６が挿通される（図１および図２参照）。
【００４８】
内管１６は、たとえば、それぞれ別体として成形した屈曲内管部８４、第１内管部８６および第２内管部８８を組み合わせることによって形成される。ただし、内管１６は、可撓管などによって一体に形成してもよい。たとえば、屈曲内管部８４および第１内管部８６は、第１鞘管部１８内に設けられ、第２内管部８８は第２鞘管部２０内に設けられる（図３参照）。
【００４９】
図１６に示すように、屈曲内管部８４は、たとえば、ポリ塩化ビニルなどの合成樹脂からなり、射出成形によって形成される。屈曲内管部８４には、垂直上方向に開口する流入口９０、および水平方向に開口する流出口９２が形成される。屈曲内管部８４は、その流入口９０と流出口９２とが第１鞘管部１６内に収まるよう形成され、平面視で馬蹄形状を有している。また、屈曲内管部８４の外周面には、下方向に突き出す当接部９４が形成される。当接部９４は、たとえば、その外縁が第１鞘管部１８の底面の形状に相当する円弧状に形成される板状体である。
【００５０】
屈曲内管部８４の流入口９０には、垂直上方向に延びる第１内管部８６が接続される。第１内管部８６は、流入口９０の内径に等しい外径を有する塩化ビニル管などが用いられる。第１内管部８６は、その一端が屈曲内管部８４の流入口９０に挿入されて、屈曲内管部８４と接着接合される。また、第１内管部８６は、その他端に屋内排水管１２２が挿入されて、屋内排水管と接着接合される。
【００５１】
また、屈曲内管部２０の流出口９２には、水平方向に延びる第２内管部８８が接続される。第２内管部８８は、塩化ビニルなどの合成樹脂からなり、ブロー成形によって円筒状に形成される。たとえば、第２内管部８８の呼び径は１１０ｍｍであり、その長さは３００ｍｍである。第２内管部８８は、その一端が屈曲内管部８４の流出口９２に挿入されて、屈曲内管部８４とゴム輪接合される。また、第２内管部８８は、その他端が管継手１４の第２受口６２に挿入されて、管継手１４と水密状態でゴム輪接合される。
【００５２】
図１７および図１８を参照して、上述のような鞘管１２、管継手１４、および内管１６によって、二重管継手１０の接続構造を形成する方法を以下に示す。
【００５３】
先ず、鞘管１２に形成される係止部４４によって管継手１４を固定する。具体的には、図１７に示すように、第１受口６０の外面に形成される係合部６８の位置と、第４開口部４０に形成される導入溝５４の位置とを合わせて、管継手１４を矢印Ａ方向すなわち鞘管１２内の方向に押し込む。そして、図１８に示すように、その状態からさらに、係合部６８が第１ストッパ５６に当接するまで管継手１４を矢印Ｂ方向に回転させて係止溝５２に収容し、係合部６８と第１係止部４８および第２係止部５０とを係合する。
【００５４】
また、管継手１４と内管１６とを接続する。具体的には、管継手１４を矢印Ａ方向に押し込む際に、第１受口６０の内部に第２内管部８８を挿入させながら、係合部６８が環状係止部４６に当接するまで押し込む。
【００５５】
なお、鞘管１２と管継手１４とを取り外す場合には、一旦、管継手１４を矢印Ａ方向（図１７参照）すなわち鞘管１２内の方向に押し込む。次に、その状態からさらに、管継手１４を矢印Ｂ方向（図１８参照）とは反対方向に回転させて、管継手１４と鞘管１２との係合状態（ロック状態）を解除する。具体的には、第２受口６２側からフランジ７４に形成される窪み７６を目視した際に、係合部６８が確認可能になる位置に、係合部６８を移動させる。そして、係合部６８を導入溝５４から引き出して、管継手１４を鞘管１２から取り外す。
【００５６】
また、上述したような二重管継手１０によって、建築物の基礎１２０を貫通する、基礎貫通配管構造を形成する方法を以下に示す。
【００５７】
先ず、建築物の基礎１２０を作るための基礎型枠（図示せず）を形成して、基礎型枠内に配筋１２６を配置する。また、配筋１２６には、別途鞘管１２を固定するための固定筋１２８を配置する。
【００５８】
そして、鞘管１２内に、内管１６を挿通する。ただし、内管１６は、後述するコンクリート打設後に鞘管１２に挿通してもよい。
【００５９】
次に、鞘管１２の一端が屋内に開口して、他端が屋外に開口するように、基礎型枠内に鞘管１２を配置する。この際は、市販の支持具１３０を用いる、或いは配筋支持部３２に固定筋１２８を嵌め込むなど、適宜の方法によって鞘管１２を配筋１２６に固定する。
【００６０】
そして、基礎型枠内にコンクリートを打設して基礎１２０を形成する。コンクリートが乾いたら、基礎１２０より上部に露出した鞘管１２、内管１６或いはその両方を適宜切断する。
【００６１】
次に、上述のような接続構造を有する二重管継手１０を用いて、内管１４と屋内排水管１０６とを接続する。この実施例では、垂直内管２２の上端に屋内排水管１０６を挿入して、接着接合する。
【００６２】
最後に、管継手１４と屋外排水管１２４とを接着接合する。この実施例では、第２受口６２の内面、および屋外排水管１２４の外面に接着剤を塗布する。そして、屋外排水管１２４を、制止部８２に当接するまで、第２受口６２の内部に挿入する。
【００６３】
このように、二重管継手１０では、管継手１４が鞘管１２の係止部４４に固定されることによって、管継手１４の第１受口６０に接続する第２内管部８８も、鞘管の屋外側の端部２２に固定される。これにより、鞘管１２内での内管１６の位置が固定されるため、管継手１４の第２受口６２に屋外排水管１２４を接続する際に、内管１６が鞘管１２内の方向に移動しない。したがって、屋内排水管１２２側で内管１６を固定しなくても、内管１６と屋外排水管１２４との接続を適切に行うことができる。
【００６４】
また、二重管継手１０では、鞘管１２の内部で管継手１４と内管１６とがゴム輪接合されると共に、鞘管１２の外部で管継手１４と屋外排水管１２４とが接続される。すなわち、接着接合による内管１６と屋外配水管１２４との接続は、鞘管１２の外部で行われる。よって、たとえば接続に用いた接着剤がはみ出て鞘管１２の内部に固着するなどの危険性がない。したがって、支障なく鞘管１２から内管１６を取り出すことができる。
【００６５】
さらに、二重管継手１０は、鞘管１２と管継手１４との係合手段を備え、鞘管１２と管継手１４とが着脱自在に固定される。これにより、鞘管１２から管継手１４を取り外して、屋外側から内管１６の交換を行うことができる。したがって、内管１６の補修を容易に行うことができる。
【００６６】
また、係合部６８の面取りを行い、案内部７０を形成した。これにより、管継手１４をＡ方向に押し込んだ後、管継手１４を矢印Ｂ方向に回転させる際に、係合部６８を第２ストッパ５８に接触させずに、導入溝５４から係止溝５２内に円滑に移動させることができる。したがって、鞘管１２と管継手１４とを容易に固定することができる。
【００６７】
さらにまた、管継手１４の外面に形成される凹部６４にシール材６６を設けた。シール材６６は、管継手１４と鞘管１２との固定時において、第２鞘管部２０の内面と当接して、管継手１４と鞘管１２との隙間を水密状態でシールすることができる。したがって、鞘管１２と管継手１４との隙間からの、建築物内への水や虫などの浸入が防止される。
【００６８】
なお、この実施例では、管継手１４は、第２内管部８８に接続されたが、これに限定される必要はなく、管継手１４と屈曲内管部８４とを直接接続してもよい。この場合には、たとえば、図１９に示すように、管継手１４の第１受口６０に、直管部１００を形成するとよい。直管部１００は、管継手１４の管軸方向に延びる円筒状に形成され、たとえば、その呼び径は１００ｍｍであり、その長さは３００ｍｍである。図２０に示すように、直管部１００は、屈曲内管部８４の終端として水平方向に開口する流出口９２に挿入されて、ゴム輪接合される。
【００６９】
また、図２１に示すように、第２鞘管部２０に形成されるリブ３６の鞘管１２内面側に、シール材１０２をさらに設けることもできる。シール材１０２は、ゴム輪などによって形成され、第２内管部８８の外面と当接する。これにより、鞘管１２と内管１６との隙間は、水密状態でシールされる。
【００７０】
図２２に示すこの発明のさらに他の実施例である二重管継手１０は、管継手１４の外面にシール材６６が設けられる代わりに、第２内管部８８の外面にシール材１０４が設けられる。
【００７１】
図２２に示すように、シール材１０４は、ゴム輪などによって形成され、第２内管部８８の外面に設けられる。シール材１０４は、管継手１４と鞘管１２との固定時に、管継手１４の第１受口６０側の先端および第２鞘管部２０の内面に当接する位置に設けられる。シール材１０４は、管継手１４と鞘管１２との固定時に、管継手１４の第１受口６０の先端、第４開口部４０の内面および第２内管部８８の外面に当接する。よって、シール材１０４は、鞘管１２と管継手１４、および鞘管１２と内管１６との隙間を水密状態でシールすることができる。したがって、鞘管１２と管継手１４、および鞘管１２と内管１４との隙間からの、建築物内への水や虫などの浸入が防止される。したがって、鞘管１２と内管１６との隙間からの、建築物内への水や虫などの浸入が防止される。
【００７２】
図２３に示すこの発明の他の実施例である二重管継手１０では、垂直方向に立ち上がる鞘管１２の屋外側の端部２２に係止部４４が形成されるのではなく、湾曲して斜め方向に立ち上がる鞘管１２の屋外側の端部２２に係止部４４が形成される。以下、図１に示す二重管継手１０と同様である部分に関しては、詳細な説明は省略する。
【００７３】
図２３に示すように、鞘管１２は、ポリエチレンなどの合成樹脂からなり、たとえば、湾曲して斜め方向に立ち上がる曲管によって形成される。鞘管１２は、一端が屋内側に開口して、他端が屋外側に開口する。鞘管１２の屋外側の端部２２には、係止部４４が形成され、上述したような接続構造によって管継手１４が固定される。また、鞘管１２内に挿通される内管１６は、ポリ塩化ビニルなどの合成樹脂からなり、たとえば、曲がり可能な可撓管によって形成される。内管１６の鞘管１２に挿通される部分は、たとえば、その外面が蛇腹状に形成され、その内面が平滑に形成される。内管１６は、その一端が管継手１４の第１受口６０に接続され、その他端が屋内排水管１２２に接続される。
【００７４】
このように、湾曲して斜め方向に立ち上がる鞘管１２によって二重管継手１０を形成しても、垂直方向に立ち上がる鞘管１２によって二重管継手１０を形成した場合と同様の効果を得ることができる。
【００７５】
さらに、内管１６は、鞘管１２の屋外側の端部２２に固定されるため、たとえば屋外排水管１２４と管継手１４とを接続する際に、内管が鞘管１２内の方向に圧縮されて鞘管１２内で撓むことがない。したがって、内管１６を可撓管によって形成しても、排水性能を低減させることなく、屋外排水管１２４と接続することができる。
【００７６】
なお、図２４に示すように、屈曲して斜め上方向に立ち上がる鞘管１２の屋外側の端部２２に係止部４４を形成してもよい。
【００７７】
また、図示は省略するが、垂直方向或いは水平方向に延びる直管によって形成される鞘管１２の屋外側或いは屋内側の端部２２に各係止部４４を形成してもよい。
【００７８】
さらに、鞘管１２と係止部４４とを別体に形成することもできる。たとえば、図示は省略するが、射出成形などによって短円筒状の係止部４４を形成し、湾曲或いは屈曲して斜め方向に立ち上がる曲管や、垂直方向或いは水平方向に延びる直管の端部に接着接合してもよい。
【００７９】
図２５に示すこの発明のさらに他の実施例である二重管継手１０は、管継手１４に第２受口６２が形成される代わりに、挿口１０６が形成される。
【００８０】
図２５に示すように、管継手１４の一端には、第１受口６０が形成され、他端には、挿口１０６が形成される。挿口１０６は、第１受口６０側から少し縮径して、その内面が制止部８２の先端と連なるように形成される。すなわち、挿口１０６の内面は、第１受口６０に挿入される内管１６の内面と面一となるよう形成される。たとえば、挿口１０６は、屋外排水管１２４に挿入されて、接着接合される。
【００８１】
また、上述の各実施例ではいずれも、鞘管１２と管継手１４との係合手段として、管継手１４に係合部６８を形成して、第２鞘管部２０に係止部４４を形成したが、これに限定される必要はない。たとえば、図示は省略するが、係合手段として、管継手１４の外面に雄ネジを形成し、第２鞘管部２０の内面に雌ネジを形成して、螺合することもできる。また、バヨネット方式（或いはターンアップ方式）を係合手段として採用してもよい。
【００８２】
なお、上で上げた寸法の具体的な数字はいずれも単なる一例であり、必要に応じて適宜変更可能である。
【図面の簡単な説明】
【００８３】
【図１】この発明の一実施例の二重管継手によって屋内排水管と屋外排水管とを接続した様子を示す断面図である。
【図２】図１の二重管継手の接続構造を示す断面図である。
【図３】図１の二重管継手を示す図解図である。
【図４】図１の二重管継手の第１鞘管部を示す斜視図である。
【図５】図１の二重管継手の第２鞘管部を示す斜視図である。
【図６】図５の第２鞘管部を示す平面図である。
【図７】図６のVII―VII線における第２鞘管部の断面を示す断面図である。
【図８】図６のVIII―VIII線における第２鞘管部の断面を示す断面図である。
【図９】図６のIX―IX線における第２鞘管部の断面を示す断面図である。
【図１０】図１の二重管継手の管継手を示す斜視図である。
【図１１】図１０の管継手を示す平面図である。
【図１２】図１０の管継手を示す断面図である。
【図１３】図１１のXIII―XIII線における管継手の断面を示す斜視図である。
【図１４】図１１のXIV―XIV線における管継手の断面を示す斜視図である。
【図１５】図１１のXV―XV線における管継手の断面を示す斜視図である。
【図１６】図１の二重管継手の屈曲内管部を示す斜視図である。
【図１７】管継手と鞘管とを係合する様子を示す図解図である。
【図１８】管継手と鞘管とを係合する様子を示す図解図である。
【図１９】この発明の他の一実施例の二重管継手の管継手を示す斜視図である
【図２０】図１９の二重管継手によって屋内排水管と屋外排水管とを接続した様子を示す断面図である。
【図２１】この発明の他の一実施例の二重管継手のシール材を示す図解図である。
【図２２】この発明の他の一実施例の二重管継手のシール材を示す図解図である。
【図２３】この発明の他の一実施例の二重管継手によって屋内排水管と屋外排水管とを接続した様子を示す断面図である。
【図２４】この発明の他の一実施例の二重管継手によって屋内排水管と屋外排水管とを接続した様子を示す断面図である。
【図２５】この発明の他の一実施例の二重管継手の管継手を示す図解図である。
【符号の説明】
【００８４】
１０…二重管継手
１２…鞘管
１４…管継手
１６…内管
１８…第１鞘管部
２０…第２鞘管部
８４…屈曲内管部
８６…第１内管部
９０…第２内管部
１２０…基礎
１２２…屋内排水管
１２４…屋外排水管
１２６…配筋
【図１】
0005191216.tif 000002
【図２】
0005191216.tif 000003
【図３】
0005191216.tif 000004
【図４】
0005191216.tif 000005
【図５】
0005191216.tif 000006
【図６】
0005191216.tif 000007
【図７】
0005191216.tif 000008
【図８】
0005191216.tif 000009
【図９】
0005191216.tif 000010
【図１０】
0005191216.tif 000011
【図１１】
0005191216.tif 000012
【図１２】
0005191216.tif 000013
【図１３】
0005191216.tif 000014
【図１４】
0005191216.tif 000015
【図１５】
0005191216.tif 000016
【図１６】
0005191216.tif 000017
【図１７】
0005191216.tif 000018
【図１８】
0005191216.tif 000019
【図１９】
0005191216.tif 000020
【図２０】
0005191216.tif 000021
【図２１】
0005191216.tif 000022
【図２２】
0005191216.tif 000023
【図２３】
0005191216.tif 000024
【図２４】
0005191216.tif 000025
【図２５】
0005191216.tif 000026